(57)【要約】【課題】トンネル鶏舎の側部外気流入部を開閉して鶏舎内部の温度を容易に調節し得る換気装置を提供する。【解決手段】トンネル鶏舎１の換気装置において、両側の側部外気流入部４に設けた側部開閉機構３は、自重あるいは静圧で撓む材質のパネル材により、前記側部外気流入部４に沿って連続して伸びるよう横長に形成し、上端側が揺動するようにその下端縁を支持したバッフル９と、このバッフル９上方にその長手方向に所定間隔をおいて複数設け、バッフル９が傾斜状態となるようその上縁側を吊り上げて支持する支持ワイヤー１０と、主ドライブユニット２１の駆動によって、全部の支持ワイヤー１０先端を同時に同一距離昇降する一方、補助ドライブユニット２６の駆動によって、所定部分の支持ワイヤー１０先端の昇降距離に差をもたせるように構成する。【選択図】図２
2006174791.tif 000002
【特許請求の範囲】
【請求項１】
一方の妻面側に外気を流入させるための外気流入部を設け、両側に、側部開閉機構により開閉する側部外気流入部を設け、他方の妻面側に、内部空気を排出するためのファンを備えた排気部を設けてなるトンネル鶏舎の換気装置であって、前記側部開閉機構は、自重あるいは静圧で撓む材質のパネル材で側部外気流入部に沿って連続して伸びるよう横長に形成し、上端側が揺動するようにその下端縁を支持したバッフルと、このバッフル上方にその長手方向に所定間隔をおいて複数設け、前記バッフルが傾斜状態となるようその上縁側を吊り上げて支持する支持ワイヤーと、主ドライブユニットの駆動によって、全部の支持ワイヤー先端を同時に同一距離昇降する一方、補助ドライブユニットの駆動によって、所定部分の支持ワイヤー先端の昇降距離に差をもたせるようになした昇降機構とから構成したことを特徴とするトンネル鶏舎の換気装置。
【請求項２】
請求項１記載の昇降機構は、バッフルに対応する鶏舎上部に間隔をおいて複数配置する基体にそれぞれ揺動可能に支持された揺動体内に、支持ワイヤー先端がバッフル側に伸びるようガイドするガイドプーリーを設けるとともに、このガイドプーリーにガイドされた前記支持ワイヤーを巻回する巻回プーリーを一端に備え、前記各プーリーの接離方向に変位可能な変位体を設けてなるアジャスト部材と、前記支持ワイヤーの前記先端とは反対側端部を、主オイルテンパーを介して連繋し、前記支持ワイヤーを昇降させる主ドライブユニットと、その先端から所定距離をおいて移動距離を規制するストッパーを設け、前記先端を前記変位体の前記巻回プーリーとは反対端に連繋した補助ワイヤーと、この補助ワイヤー他端を補助オイルテンパーを介して連繋し、前記主ドライブユニットとは反対方向に引っ張りあるいは緩めるよう駆動させることによって前記変位体を変位させ、前記支持ワイヤーを昇降させる補助ドライブユニットとから構成し、所定部分の補助ワイヤーの先端から各ストッパーまでの距離に差を設けることによって、前記距離差に応じて支持ワイヤーの昇降距離に差をもたせたことを特徴とするトンネル鶏舎の換気装置。
【請求項３】
鶏舎内の外気流入部側に主温度センサーを設ける一方、排気部側に副温度センサーを設け、これらセンサーが感知した各温度に所定値以上の差が発生したときに、補助ドライブユニットを駆動させて支持ワイヤーを昇降させるように昇降機構を制御することを特徴とする請求項２記載のトンネル鶏舎の換気装置。
【発明の詳細な説明】
【技術分野】
【０００１】
本発明は、一方向に長い内部空間に数１０ｍあるいは１００ｍを越える長さのケージを複数列配置したトンネル鶏舎の換気機構に関する。
【背景技術】
【０００２】
一般に、多数の鶏を飼育する鶏舎は、鶏の体温によって内部温度の上昇が起こるため、換気を行う必要がある。従来のトンネル型鶏舎の換気機構には、一方の妻面に外気を流入させるための外気流入部を設けるとともに、両側もしくは片側に、入気調整可能な入気口と補助入気口からなる側部外気流入部を設け、他方の妻面に内部空気を排出するためのファンを備えた排気部を設けてなるものがある。この鶏舎は、排気部のファンの吸引力により外気流入部側か排気部へ向かって空気が流れるにしたがい、鶏の体温により空気温度が高くなるので、前記妻面の外気流入部と、前記両側もしくは片側の側部外気流入部とからの外気流入量を調整しながら前記温度上昇を押さえるための換気機構を備えている。そして、前記換気機構は、夏場などの気温が高いときは、側部外気流入部を閉鎖あるいは一律の開放度となし、一方の妻面の外気流入部を開放するとともに、ファンの回転を上げ内部空気流量を多くする一方、冬場などの気温が低いときには、側部外気流入部の前記入気口及び補助入気口の開放度を調整し、妻面の外気流入部をカーテンなどで閉鎖あるいは開放度を縮小するとともに、ファンの回転を下げ内部空気流量を少なくするというものである。
【０００３】
【特許文献１】特開平１１−２１５９２６号公報
【発明の開示】
【発明が解決しようとする課題】
【０００４】
上記従来の鶏舎の換気機構は、鶏舎両側もしくは片側の外気流入部が入気口と複数の補助入気口に分割されているので、これら入気口と複数の補助入気口は各別に入気調整機構を設けなければならず、その構造が複雑になるうえ、そのコントロールも複雑になるという問題がある。本発明はこの問題を解消することを課題とし、該課題を解決したトンネル鶏舎の換気機構を提供することを目的とする。
【課題を解決するための手段】
【０００５】
上記目的を達成するために、請求項１に記載した本発明は、一方の妻面側に外気を流入させるための外気流入部を設け、両側に、側部開閉機構により開閉する側部外気流入部を設け、他方の妻面側に、内部空気を排出するためのファンを備えた排気部を設けてなるトンネル鶏舎の換気装置であって、前記側部開閉機構は、自重あるいは静圧で撓む材質のパネル材で側部外気流入部に沿って連続して伸びるよう横長に形成し、上端側が揺動するようにその下端縁を支持したバッフルと、このバッフル上方にその長手方向に所定間隔をおいて複数設け、前記バッフルが傾斜状態となるようその上縁側を吊り上げて支持する支持ワイヤーと、主ドライブユニットの駆動によって、全部の支持ワイヤー先端を同時に同一距離昇降する一方、補助ドライブユニットの駆動によって、所定部分の支持ワイヤー先端の昇降距離に差をもたせるようになした昇降機構とから構成したものである。
【０００６】
また、請求項２に記載した発明は、請求項１に記載の昇降機構を、バッフルに対応する鶏舎上部に間隔をおいて複数配置する基体にそれぞれ揺動可能に支持された揺動体内に、支持ワイヤー先端がバッフル側に伸びるようガイドするガイドプーリーを設けるとともに、このガイドプーリーにガイドされた前記支持ワイヤーを巻回する巻回プーリーを一端に備え、前記各プーリーの接離方向に変位可能な変位体を設けてなるアジャスト部材と、前記支持ワイヤーの前記先端とは反対側端部を、主オイルテンパーを介して連繋し、前記支持ワイヤーを昇降させる主ドライブユニットと、その先端から所定距離をおいて移動距離を規制するストッパーを設け、前記先端を前記変位体の前記巻回プーリーとは反対端に連繋した補助ワイヤーと、この補助ワイヤー他端を補助オイルテンパーを介して連繋し、前記主ドライブユニットとは反対方向に引っ張りあるいは緩めるよう駆動させることによって前記変位体を変位させ、前記支持ワイヤーを昇降させる補助ドライブユニットとから構成し、所定部分の補助ワイヤーの先端から各ストッパーまでの距離に差を設けることによって、前記距離差に応じて支持ワイヤーの昇降距離に差をもたせたものである。
【０００７】
さらに、請求項３に記載した本発明は、上記請求項２に記載した発明において、鶏舎内の外気流入部側に主温度センサーを設ける一方、排気部側に副温度センサーを設け、これらセンサーが感知した各温度に所定値以上の差が発生したときに、補助ドライブユニットを駆動させて支持ワイヤーを昇降させるように昇降機構を制御するものである。
【発明の効果】
【０００８】
請求項１記載の本発明は、鶏舎内の外気流入部側と排気部側に所定値以上の温度差が発生したときに補助ドライブユニットを駆動させて、所定部分と他の部分との側部外気流入部に対応するよう支持ワイヤーを昇降させ、鶏舎内部の温度を一定に保つことが可能であるうえ、側部外気流入部の開放度の調整を一括して行うように構成したので、従来のように側部外気流入部を分割してこれらを各別に開閉駆動するものとは異なり、設備機器を簡単な構造にすることができるという効果を奏する。
【０００９】
また、請求項２記載の本発明は、請求項１記載の発明の効果に加えて、主ドライブユニットと補助ワイヤーとアジャスト部材により、各支持ワイヤーの昇降を行うので、側部外気流入部の開放度の調整動作が確実であるという効果を奏する。
【００１０】
さらに、請求項３記載の本発明は、請求項２記載の発明の効果に加えて、鶏舎内部の温度差を小さくするよう側部外気流入部の開閉を自動的に調節することができるという効果を奏する。
【発明を実施するための最良の形態】
【００１１】
以下に本発明の好適な第１実施形態を添付図面の図１〜図１０に基づいて詳細に説明する。ここにおいて、図１は鶏舎の概略的な平面図、図２は鶏舎の概略的な正面図、図３は側部外気流入部の拡大側面図、図４はアジャスト部材の拡大縦断正面図、図５は同じく側面図、図６は鶏舎の部分拡大正面図、図７はアジャスト部材を介して連繋する支持ワイヤーと主オイルテンパー及び補助ワイヤーと補助オイルテンパーとの関係を示す説明図、図８は主ドライブユニットのみを駆動させた時の開放状態を示す正面図、図９は補助ドライブユニットをある程度駆動させた時の開放状態を示す正面図、図１０は補助ドライブユニットを全駆動させた時の開放状態を示す正面図、図１１は換気機構の制御を行うための回路図である。
【００１２】
図１及び図２に示すように、トンネル状の鶏舎１は、一方の妻面側に外気を流入させるための外気流入部２ａ，２ｂを設けるとともに、両側に、側部開閉機構３により開閉する側部外気流入部４を設ける一方、他方の妻面に内部空気を排出するためのファン５を備えた排気部６を設ける。また、鶏舎１内には、鶏を収容するための細長いケージ７を４列配置してある。
【００１３】
図３、図６〜図８に示すように、側部開閉機構３は、自重あるいは静圧（鶏舎１内外の気圧差）で適度に撓む材質のパネル材で各側部外気流入部４に沿って連続して伸びるよう横長に形成し、上端側が揺動するようにその下端縁を複数の蝶番８で枢支したバッフル９と、このバッフル９にその長手方向に所定間隔をおいて複数設け、傾斜状態となるよう上縁側を吊り上げて支持するよう、その先端を前記バッフル９に連結した支持ワイヤー１０と、各支持ワイヤー１０全部の先端を同時に同一距離昇降するとともに、各支持ワイヤー１０先端を、少なくとも外気流入部側より排気部側に設けるものの方が長い距離昇降させるようになした昇降機構１１とからなる。
【００１４】
図１、図３〜図１０に示すように、支持ワイヤー１０の昇降機構１１は、各支持ワイヤー１０に対応するように鶏舎１上部に間隔をおいて複数固定した基体１２に揺動可能に支持された揺動体１３に、前記支持ワイヤー１０先端をバッフル９側に伸びるようガイドするガイドプーリー１４を設けるとともに、一対の巻回プーリー１５，１６を両端に軸支し、一方の前記巻回プーリー１５に前記支持ワイヤー１０を巻回した、横方向に変位可能な変位体１７を設けてなるアジャスト部材１８と、前記支持ワイヤー１０先端とは反対側端部を、揺動体３の端部孔１９を通して揺動体１３外側に延ばし連結した主オイルテンパー２０を引っ張りあるいは緩めるための主ドライブユニット２１と、その先端を、前記揺動体１３の内側端部に固定し、他端側を前記アジャスト部材１８の他方の巻回プーリー１６に巻回するとともに、揺動体１３の端部孔２２を通して揺動体１３外側に伸ばし、前記端部孔２２より所定距離をおいてストッパー２３を設けた補助ワイヤー２４と、前記補助ワイヤー２４他端を連結した補助オイルテンパー２５を、前記主オイルテンパー２０とは反対方向に引っ張りあるいは緩めるための補助ドライブユニット２６とから構成する。前記主オイルテンパー２０は、鶏舎１両側の各側部外気流入部４に沿って外気流入部２ａ，２ｂ側に向けて伸ばし、外気流入部２ａ，２ｂ内側中央に設けた主ドライブユニット２１にそれぞれ連繋する。また、前記補助オイルテンパー２５は、鶏舎１両側の側部外気流入部４に沿って排気部６側に向けて伸ばし、排気部６内側中央に設けた主ドライブユニット２１にそれぞれ連繋する。なお、図４及び図７では、作図上便宜的に、支持ワイヤー１０と補助ワイヤー２４が折曲した状態に表しているが、実際は、各端部孔１９，２２から主オイルテンパー２０、補助オイルテンパー２５にそれぞれ傾斜状態で直線的に伸びるものである。
【００１５】
図７〜図１０に示すように、最も外気流入部２ａ，２ｂ側に配置されるアジャスト部材１８ａは、補助ワイヤー２４先端から各ストッパー２３までの距離を、Ｌａ（変位体１７が揺動体１３の図面上右端に位置するときの、ストッパー２３と揺動体１３内側の図面上右端までの距離５ｍｍ）＋α（変位体１７が揺動体１３内側の図面上右端に位置するときの、補助ワイヤー２４先端から右側の巻回プーリー１６を経て揺動体１３の右端に達する距離）となし、前記アジャスト部材１８ａより排気部６側に配置するアジャスト部材１８ｂは、補助ワイヤー２４先端から各ストッパー２３までの距離を、Ｌｂ（５０ｍｍ）＋αとなし、最も排気部６側に配置されるアジャスト部材１８ｃは、補助ワイヤー２４先端から各ストッパー２３までの距離を、Ｌｃ（１００ｍｍ）＋αとなすものである。この昇降機構１１は、主ドライブユニット２１を駆動させて主オイルテンパー２０を緩め、所定長送り出すことによって、全部の支持ワイヤー１０が所定長下降し、バッフル９上端側が鶏舎１内側に所定角度だけ倒れ、側部外気流入部４の開放度を拡大する（図８参照）。
【００１６】
また、補助ドライブユニット２６を駆動させて補助オイルテンパー２５を緩め、補助ワイヤー２４を５０ｍｍ送り出すと、各ストッパー２３が揺動体１３端部に当たるまで、すなわち、前記アジャスト部材１８ａでは、ストッパー２３が揺動体１３の図面上右端に当接するまでの５ｍｍ、前記アジャスト部材１８ｂでは５０ｍｍ、前記アジャスト部材１８ｃでは５０ｍｍそれぞれ変位する。これら変位体１７の変位によって支持ワイヤー１０先端も前記各変位分下降し、各アジャスト部材１８ａ，１８ｂ，１８ｃに対応するバッフル９上縁がその自重あるいは静圧で下方に撓みながら倒れ、側部外気流入部４の開放度が拡大する（図９参照）。
【００１７】
さらに、同様にして補助ワイヤー２４を１００ｍｍ送り出すと、前記アジャスト部材１８ａでは５ｍｍ、前記アジャスト部材１８ｂでは５０ｍｍ、前記アジャスト部材１８ｃでは１００ｍｍそれぞれ変位する。これら変位体１７の変位によって支持ワイヤー１０先端も前記各変位分下降し、各アジャスト部材１８ａ，１８ｂ，１８ｃに対応するバッフル９上縁がその自重あるいは静圧で下方に撓みながら所定角度倒れ、側部外気流入部４の開放度が拡大する（図１０参照）。なお、図７では説明の便宜上、３つのアジャスト部材１８ａ，１８ｂ，１８ｃによって動作を説明したが、バッフル９は数１０ｍという長尺であり、アジャスト部材１８の個数も数１０に及び、それぞれに設けられた補助ワイヤー２４における、先端からストッパー２３までの距離を、外気流入部２ａ，２ｂ側より排気部６側のものが長くなるようにそれぞれ設定する。
【００１８】
図１及び図１１に示すように、鶏舎１には、内部平均的温度を感知するための鶏舎中央に配置した第１温度センサー２７と、外気流入部２ａ，２ｂ側に位置した主温度センサーたる第２温度センサー２８と、排気部６側に位置した副温度センサーたる第３温度センサー２９と、これら第１、第２、第３温度センサー２７，２８，２９に接続するとともに、主ドライブユニット２１及び補助ドライブユニット２６に接続した制御部たるコントローラー３０（図１１参照）が配置されている。
【００１９】
前記コントローラー３０は、第１温度センサー２７で検知する温度に応じて前記排気部６のファン５の回転数を複数段階に制御するもので、例えば、夏期など前記検知温度が高いときはファン５の回転数を上げ、夏期など検知温度が所定値より高いときには、補助ドライブユニット２６を駆動せず、前記外気流入部２ａ，２ｂは開放しておく一方、冬期など前記検知温が低いときには、ファン５の回転数を下げるように制御する。このファン５の回転を下げたときには、一方の妻面側の外気流入部２ａ，２ｂを、コントローラ３０による自動開閉機構あるいは手動操作で、閉鎖あるいは開放度を縮小しておく。また、前記コントローラー３０は、外気流入部２ａ，２ｂ側の第２温度センサー２８と排気部６側の第３温度センサー２９からの温度信号の各レベルに所定値以上の差が発生したときには、主ドライブユニット２１を駆動して全部の支持ワイヤー１０を同時に同一距離昇降させるとともに、補助ドライブユニット２６を駆動させて支持ワイヤー１０を昇降させ、所定部位の側部外気流入部４の開放度に差をもたせるように制御する。
【００２０】
前記主ドライブユニット２１は、手動操作によって、その先端を昇降するよう支持ワイヤー１０を引っ張りあるいは緩めるべく駆動可能に構成され、また、補助ドライブユニット２６も同様に、手動操作によって、補助ワイヤー２４を引っ張りあるいは緩めるべく駆動可能に構成されている。
【００２１】
図１２（鶏舎の概略的平面図）は、本発明の第２実施形態を示すものである。この実施形態において、前述の実施形態と相違するのは、鶏舎５１両側の各中央に主ドライブユニット５２を設け、この主ドライブユニット５２から外気流入部２ａ、２ｂ方向と排気部６方向に各別に伸びる一対の主オイルテンパー５３を配置した点と、排気部５４の両隅に補助ドライブユニット５５を設けた点であって、その他の部材は前述の実施形態と同一であるので、それらの詳細な説明は省略し、同一の各部材に前記実施形態と同一の符号を付すに止める。この実施形態は、鶏舎５１長さが例えば１００ｍを越えるような長い場合に有効である。
【００２２】
図１３（概略的正面図）は、本発明の第３実施形態を示すものである。この実施形態は、補助ワイヤー２４を連結する補助オイルテンパー２５を、側部外気流入部４全体にわたるように設けるのではなく、排気部６から外気流入部２ａ，２ｂに向け、側部外気流入部４の途中まで設置したものである。この場合、補助ドライブユニット２６によるバッフル９の開閉は、補助オイルテンパー２５が設置された部位を除いた部位では行われず、この設置されない部位は、主ドライブユニット２１によるバッフル９全体の開閉のみ可能となる。
【００２３】
また、図１４（概略的正面図）は、本発明の第４実施形態を示すものである。この実施形態は、補助ワイヤー２４の各先端から各ストッパー２３までの距離設定を変更して、支持ワイヤー１０の下降距離を変え、側部外気流入部４の開放度を、一方の妻面側の外気流入部２ａ，２ｂ側が小さく、中間に向かって徐々に大きくし、他方の妻面側の排気部６側でやや小さくしたものである。厳冬期のような外気温度が特に低いときには、一方の妻面側の外気流入部２ａ，２ｂを閉鎖し、かつコントローラー３０で制御されてファン５の回転が下がるので、鶏舎１内部の空気の流れが極度に遅くなったり停止して、側部外気流入部４から流れ込む外気を鶏舎中央側に引き込む力が弱まる。この引き込む力が弱まると、一旦流入した外気が排気部６側に流れ、鶏舎１の幅方向中央に達することなく、排気部６側の側部外気流入部４から再び外部に流れ出るという現象が起こり、前記鶏舎１の幅方向中央の温度が上がるので、排気部６側の側部外気流入部２ａ，２ｂの開放度を若干小さくして、外気が再度流出するのを防ぎ、前記鶏舎１の幅方向中央に達するように、所定部分の補助ワイヤー２４の先端からストッパー２３までの距離を設定するのである。
【００２４】
なお、本発明は、上記各実施形態に限定されるものではなく、例えば、昇降機構１１の変位体１７は、巻回プーリー１６を設けず、この巻回プーリー１６を設ける部分に補助ワイヤー２４先端を直接固定してもよい。また、側部外気流入部４は両側ではなく片側のみに設けたものでもよい。さらに、補助ワイヤー２４のストッパー２３は、移動可能となし、ストッパー２３の位置設定を、前記実施形態のようにあらかじめ設定しておくのではなく、設置後に変更できるように構成してもよい。
【図面の簡単な説明】
【００２５】
【図１】第１実施形態における鶏舎の概略的な平面図。
【図２】第１実施形態における鶏舎の概略的な正面図。
【図３】第１実施形態における側部外気流入部の拡大側面図。
【図４】第１実施形態におけるアジャスト部材の拡大縦断正面図。
【図５】第１実施形態における同じく側面図。
【図６】第１実施形態における鶏舎の部分拡大正面図。
【図７】第１実施形態におけるアジャスト部材を介して連繋する支持ワイヤーと主オイルテンパー及び補助ワイヤーと補助オイルテンパーとの関係を示す説明図。
【図８】第１実施形態における主ドライブユニットのみを駆動させた時の開放状態を示す正面図。
【図９】第１実施形態における補助ドライブユニットをある程度駆動させた時の開放状態を示す正面図。
【図１０】第１実施形態における補助ドライブユニットを全駆動させた時の開放状態を示す正面図。
【図１１】第１実施形態における換気機構の制御を行うための回路図。
【図１２】第２実施形態における鶏舎の概略的な平面図。
【図１３】第３実施形態における鶏舎の概略的な正面図。
【図１４】第４実施形態における鶏舎の概略的な正面図
【符号の説明】
【００２６】
１    鶏舎
２ａ，２ｂ    外気流入部
３    側部開閉機構
４    側部外気流入部
５    ファン
６    排気部
７    ケージ
８    蝶番
９    バッフル
１０    支持ワイヤー
１１    昇降機構
１２    基体
１３    揺動体
１４    ガイドプーリー
１５，１６    巻回プーリー
１７    変位体
１８    アジャスト部材
１９，２２    端部孔
２０    主オイルテンパー
２１    主ドライブユニット
２３    ストッパー
２４    補助ワイヤー
２５    補助オイルテンパー
２６    補助ドライブユニット
２７    第１温度センサー
２８    第２温度センサー
２９    第３温度センサー
３０    コントローラー
５１    鶏舎
５２    主ドライブユニット
５３    主オイルテンパー
５４    排気部
５５    補助ドライブユニット
５６    補助オイルテンパー
【図１】
2006174791.tif 000003
【図２】
2006174791.tif 000004
【図３】
2006174791.tif 000005
【図４】
2006174791.tif 000006
【図５】
2006174791.tif 000007
【図６】
2006174791.tif 000008
【図７】
2006174791.tif 000009
【図８】
2006174791.tif 000010
【図９】
2006174791.tif 000011
【図１０】
2006174791.tif 000012
【図１１】
2006174791.tif 000013
【図１２】
2006174791.tif 000014
【図１３】
2006174791.tif 000015
【図１４】
2006174791.tif 000016